(57)【特許請求の範囲】
【請求項１】
透光性樹脂によって形成された採光パネル部と、
前記採光パネル部と一体成形されるとともに、内装天井材の非意匠面に接合可能なブラケット部と、を備え、
前記ブラケット部は、接続用突起を備え、
前記接続用突起は、車両ボディのインナーフレームに設けられた貫通孔に貫通させて、本サンルーフ用パネルを前記車両ボディに対して固定可能であることを特徴とするサンルーフ用パネル。
【請求項２】
前記接続用突起は、本サンルーフ用パネル内において、前記採光パネル部よりも前方に配置されている請求項１に記載のサンルーフ用パネル。
【請求項３】
前記採光パネル部の全周に沿って前記ブラケット部が立設されて、全体として箱蓋形状をなしている請求項１又は２のうちのいずれかに記載のサンルーフ用パネル。
【請求項４】
請求項１乃至３のうちのいずれかに記載のサンルーフ用パネルと、サンルーフ用の開口である内装開口部を有する内装天井材と、を備え、
前記サンルーフ用パネルと前記内装天井材とは、各々の前記採光パネル部と前記内装開口部とが対応するように、前記ブラケット部と前記内装天井材の非意匠面とで接合されていることを特徴とする天井モジュール。
【請求項５】
請求項４に記載の天井モジュールを備え、
前記採光パネル部の外表面が、車両ボディの天井部に設けられたサンルーフ用の開口であるボディ開口部から露出されるように、前記採光パネル部が車両内側から前記車両ボディに対して嵌挿されていることを特徴とする天井構造。
【請求項６】
透光性樹脂によって形成された採光パネル部、及び、前記採光パネル部と一体成形されるとともに、内装天井材の非意匠面に接合可能なブラケット部、を備えたサンルーフ用パネルと、
サンルーフ用の開口である内装開口部を有する内装天井材と、を備え、
前記サンルーフ用パネルと前記内装天井材とは、各々の前記採光パネル部と前記内装開口部とが対応するように、前記ブラケット部と前記内装天井材の非意匠面とで接合された天井モジュールを備え、
前記採光パネル部の外表面が、車両ボディの天井部に設けられたサンルーフ用の開口であるボディ開口部から露出されるように、前記採光パネル部が車両内側から前記車両ボディに対して嵌挿されていることを特徴とする天井構造。
【請求項７】
前記ブラケット部は、接続用突起を備え、
前記接続用突起は、車両ボディのインナーフレームに設けられた貫通孔に貫通させて、前記サンルーフ用パネルを前記車両ボディに対して固定可能である請求項６に記載の天井構造。
【請求項８】
前記接続用突起は、前記サンルーフ用パネル内において、前記採光パネル部よりも前方に配置されている請求項７に記載の天井構造。
【請求項９】
前記採光パネル部の全周に沿って前記ブラケット部が立設されて、全体として箱蓋形状をなしている請求項６乃至８のうちのいずれかに記載の天井構造。
【発明の詳細な説明】
【技術分野】
【０００１】
本発明は、採光パネル及びこれを備えた天井モジュール並びに天井構造に関する。更に詳しくは、内装天井材と一体化可能なサンルーフ用の採光パネル及びこれを備えた天井モジュール並びに天井構造に関する。
【背景技術】
【０００２】
従来、サンルーフ２０を有する車両１０の天井部は、図１のＡ−Ａ切断線及びＢ−Ｂ切断線により切断された断面図である図６及び図７に示すように、アウターボディ３２とインナーフレーム３３とで二重構造に構成されており、車両ボディ３１のボディ開口部３５にガラス製パネル５１が嵌め込まれ、金属製補強板５２で支持されている。また、その下方には間隔をあけて内装天井材１１が配設されており、その内装天井材１１は、中央部分に大きな内装開口部１２が設けられ、この内装開口部１２を通して採光されるように設計されている。更に、この内装天井材１１は、車両ボディ３１の天井内側に相対するように、複雑な凹凸形状が付与されながら、この形状を維持できる範囲において、軽量化のために薄く形成されている。
【０００３】
このように、サンルーフ用に大きな開口が形成されると、内装天井材１１の全体剛性が低下し、例えば、組み付け作業時に、作業者が内装天井材１１を持つ位置によっては、折れ曲がりを生じる等の不具合を生じることがあった。そこで、この不具合を防ぐため、一般に、内装天井材１１の内装開口部１２の周縁部１３に樹脂材等からなる補強材５３を設けている（下記特許文献１及び下記特許文献２）。この補強材５３は、車内側から目立たないように内装天井材１１の内装開口部１２を補強する必要があるため、通常、内装天井材１１とは別体に強度や形状を設計できる樹脂成型品で形成し、内装天井材１１の製造時に内装天井材１１の内装開口部１２の周縁部１３に別途に取り付けている。
【先行技術文献】
【特許文献】
【０００４】
【特許文献１】特実平６−５３３１３号公報
【特許文献２】特開２０１４−２８５９８号公報
【発明の概要】
【発明が解決しようとする課題】
【０００５】
しかしながら、上述のように、サンルーフ２０を設けようとする車両１０でのみ、別体の補強材５３を内装天井材１１の形状に合わせて各々用意するのは、設計及び金型製造等が嵩み、コスト高となっている。
また、従来、多く使用されているガラス製パネル５１は、重量があるため、内装天井材１１と独立した部品とされ、ガラス製パネルが内装天井材に負荷を与えない構造とすることが当然のこととして車両設計されている。そして、そのために、ガラス製パネル５１は、内装天井材１１の内装開口部１２の大きさよりもかなり大きく設計せざるを得なくなっている（図６参照）。これは、内装天井材１１とガラス製パネル５１との組付位置のばらつきを吸収し、内装天井材１１とインナーフレーム３３との間隙が乗員から見えないように見栄えを保つためである。しかしながら、ガラス製パネルは、元来、重量の嵩む部品であるため、燃費性能向上の要請から重量軽減が望まれている。
【０００６】
本発明は、上記実情に鑑みてなされたものであり、サンルーフ用パネルの重さを軽減しながら、サンルーフ開口が設けられた内装天井材の補強に必要なコストも同時に低減させることができるサンルーフ用パネル及びこれを備えた天井モジュール並びに天井構造を提供することを目的とする。
【課題を解決するための手段】
【０００７】
即ち、本発明は以下の通りである。
本発明のサンルーフ用パネルは、透光性樹脂によって形成された採光パネル部と、
前記採光パネル部と一体成形されるとともに、内装天井材の非意匠面に接合可能なブラケット部と、を備えることを要旨とする。
請求項２に記載のサンルーフ用パネルは、請求項１に記載のサンルーフ用パネルにおいて、前記ブラケット部は、接続用突起を備え、
前記接続用突起は、車両ボディのインナーフレームに設けられた貫通孔に貫通させて、本サンルーフ用パネルを前記車両ボディに対して固定可能であることを要旨とする。
請求項３に記載のサンルーフ用パネルは、請求項２に記載のサンルーフ用パネルにおいて、前記接続用突起は、本サンルーフ用パネル内において、前記採光パネル部よりも前方に配置されていることを要旨とする。
請求項４に記載のサンルーフ用パネルは、請求項１乃至３のうちのいずれかに記載のサンルーフ用パネルにおいて、前記採光パネル部の全周に沿って前記ブラケット部が立設されて、全体として箱蓋形状をなしていることを要旨とする。
【０００８】
本発明の天井モジュールは、本発明のサンルーフ用パネルと、サンルーフ用の開口である内装開口部を有する内装天井材と、を備え、
前記サンルーフ用パネルと前記内装天井材とは、各々の前記採光パネル部と前記内装開口部とが対応するように、前記ブラケット部と前記内装天井材の非意匠面とで接合されていることを要旨とする。
本発明の天井構造は、本発明の天井モジュールを備え、
前記採光パネル部の外表面が、車両ボディの天井部に設けられたサンルーフ用の開口であるボディ開口部から露出されるように、前記採光パネル部が車両内側から前記車両ボディに対して嵌挿されていることを要旨とする。
【発明の効果】
【０００９】
本発明のサンルーフ用パネルは、透光性樹脂によって形成された採光パネル部と、この採光パネル部と一体成形されるとともに、内装天井材の非意匠面に接合可能なブラケット部と、を備える。従って、透光性樹脂によって形成された採光パネル部は、ガラスによって形成された採光パネルに比べて重さが軽減される。そして、採光パネル部とブラケット部とが一体にされているため、サンルーフ開口が設けられた内装天井材の補強のために別途の補強材を要さない。更に、採光パネル部が軽量化されているため、内装用天井材の非意匠面に接合して利用できる。即ち、サンルーフ用に大きな開口が形成された内装用天井材の非意匠面（内装用天井材の裏面、上方側）に接合することで、内装用天井材の上方から下方へ向かってサンルーフ用パネル自体の荷重が付加されても、サンルーフ用パネル自体が有するブラケット部の補強及び力の分散によって内装用天井材の形状を維持させることが可能な重量バランスとすることができる。このように、本発明のサンルーフ用パネルは、採光機能を有するだけでなく、サンルーフ用パネル自体が内装天井材のサンルーフ開口を補強する補強材としても機能するため、別途に補強材用を用意する必要がなく、その組付け工数も削減でき、製造コストを顕著に低減できる。また、従来のガラスを使用していたものと比較して、本発明のサンルーフ用パネルは軽量化できるため、これを利用する車両の燃費性能が向上できる。
更に、ブラケット部が、車両ボディのインナーフレームに設けられた貫通孔に貫通されてサンルーフ用パネルを固定する接続用突起を備えている場合は、この接続用突起がサンルーフ用パネル及び内装天井材を車両ボディに固定するときの基準点となるため、内装天井材を、車両ボディに対する高さ方向のみならず、前後左右方向にも一定位置に正確に固定することができる。すなわち、車両ボディの天井部に設けられたサンルーフ用の開口であるボディ開口部に対する内装天井材のサンルーフ用開口の位置を正確に合わせ込むことができる。
そして、ブラケット部の接続用突起が、サンルーフ用パネル内において、採光パネル部よりも前方に配置されている場合は、乗員から視認され易い車両の前方において、ボディ開口部に対する内装天井材のサンルーフ用開口の位置を正確に合わせることができるとともに、内装天井材の位置ずれに伴って乗員から視認され易い車両の前方での見栄えが損なわれるのを防止できる。
また、サンルーフ用パネルが、採光パネル部の全周に沿ってブラケット部が立設されて、全体として箱蓋形状をなしている場合は、サンルーフ用パネル全体の強度、剛性が大きくすることができ、より確実に変形を防止できる。
【００１０】
本発明の天井モジュールは、サンルーフ用の開口である内装開口部を有する内装天井材と、内装天井材に接合された本発明のサンルーフ用パネルと、を備え、サンルーフ用パネルと内装天井材とは、各々の採光パネル部と内装開口部とが対応するように、ブラケット部と内装天井材の非意匠面とで接合されている。従って、従来は、ガラス製パネルと、内装用天井材と、して別々に用いていた部品を、サンルーフ用パネルと内装天井材とが一体となった天井モジュールとして取り扱うことができる。これにより、サンルーフ用パネルが有するブラケット部の補強及び力の分散によって、内装開口部を有する内装用天井材であっても、その形状を維持して取り扱うことが可能となる。即ち、サンルーフ用パネルは、採光機能を有するだけでなく、サンルーフ用パネル自体が内装天井材の内装開口を補強する補強材としても機能するため、別途に補強材を用意する必要がなく、その組付け工数も削減でき、製造コストを顕著に低減できる。また、従来のガラスを使用していたものと比較して、本発明の天井モジュールは軽量化できるため、これを利用する車両の燃費性能が向上できる。
【００１１】
本発明の天井構造は、本発明の天井モジュールを備えた天井構造であり、採光パネル部の外表面が、車両ボディの天井部に設けられたサンルーフ用の開口であるボディ開口部から露出されるように、採光パネル部が車両内側から車両ボディに対して嵌挿されている。これにより、本発明のサンルーフ用パネル及び本発明の天井モジュールによる上述の効果を同時に得ることができる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部位を示す。
【００１３】
【図１】サンルーフを有する車両の概略平面図である。
【図２】実施形態の天井モジュールの図１のＡ−Ａ切断線における断面図である。
【図３】実施形態の天井モジュールの図１のＢ−Ｂ切断線における断面図である。
【図４】実施形態のサンルーフ用パネルを示す斜視図である。
【図５】実施形態の天井モジュールを示す斜視図である。
【図６】従来のサンルーフの図１のＡ−Ａ切断線における断面図である。
【図７】従来のサンルーフの図１のＢ−Ｂ切断線における断面図である。
【発明を実施するための形態】
【００１４】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１５】
［１］サンルーフ用パネル
以下、本発明の実施形態を図に基づいて説明する。
図１乃至図５において、サンルーフ２０は、車両１０（尚、フロントウィンドウ４２ａ、リアウィンドウ４２ｂとする）の天井部に設けられている。そして、このサンルーフ２０を有する車両ボディ３１の天井部には天井モジュール１が固定されている。天井モジュール１は、サンルーフ用の開口である内装開口部１２を有する内装天井材１１と、内装天井材１１に接合されたサンルーフ用パネル２１と、を備えている。更に、サンルーフ用パネル２１は、透光性樹脂によって形成された採光パネル部２２と、採光パネル部２２と一体成形されたブラケット部２３と、を備える。以下、各部材について説明する。
【００１６】
内装天井材１１は、非意匠面１１ａと、その反対面である意匠面１１ｂと、を有する。非意匠面１１ａは、サンルーフ用パネル２１が接合される側の面であり、乗員から見えない側を構成する。一方、意匠面１１ｂは、乗員から見える側を構成する。
内装天井材１１としては、例えば、植物繊維、ガラスファイバー、グラスウール等の補強繊維を、多孔状態を維持しながら樹脂バインダで固め、所定の形状に賦形したものを採用できる。
内装天井材１１は、利用される車両１０の天井形状に応じて適宜の形状に賦形されるが、内装天井材１１の内装開口部１２の周縁を構成する周縁部１３は、開口端に向かって曲面状にせり上がった形状とされたせり上がり部１５を有することが好ましい。せり上がり部１５を有することで、内装天井材１１と、車両ボディ３１のインナーフレーム３３との隙間が乗員から見えないように乗員の視線を遮ることができる。
【００１７】
サンルーフ用パネル２１は、採光パネル部２２と、この採光パネル部２２の周囲に沿って設けられたブラケット部２３と、を備える。
採光パネル部２２は、透光性樹脂で形成されることによって、透光性が確保され、車両内から車両外を必要に応じて視認できるようにした部位である。一方、ブラケット部２３は、採光パネル部２２と内装天井材１１の非意匠面１１ａとを一体に接合するための部位である。
これら採光パネル部２２とブラケット部２３とは、別体に形成できるが、樹脂により一体的に成形されていることが好ましい。即ち、採光パネル部２２とブラケット部２３とは、ひと続きの樹脂成形体であることが好ましい。但し、採光パネル部２２は、上述のように透光性樹脂で形成される一方、ブラケット部２３は透光性であってもよく非透光性であってもよい。従って、ブラケット部２３は、透光性樹脂からなってもよく、他樹脂からなってもよい。また、例えば、採光パネル部２２には、所望の透光性樹脂を利用し、ブラケット部２３には、採光パネル部２２を構成する透光性樹脂に顔料等の着色剤を配合して透光性を低下させた、又は、非透光性とした、着色樹脂を利用することによって、採光パネル部２２とブラケット部２３とを一体的に成形することができる。
【００１８】
サンルーフ用パネル２１の形状は、上述の機能を発揮できればよく限定されないが、例えば、図４及び図５に例示されるように、全体として箱蓋形状をなすことができる。より具体的には、サンルーフ用パネル２１は、採光パネル部２２の全周に沿って、採光パネル部２２と内装天井材１１との間を繋ぐように、採光パネル部２２から立設された立設部２３１を備えることができる。
更に、図２乃至図５に例示されるように、ブラケット部２３は、その内装天井材１１の側において、立設部２３１から延設され、対応する内装天井材１１の非意匠面１１ａに沿った形状にされた接合基部２３２を有することができる。また、車両の側方側（図１におけるＢ−Ｂ切断線における断面、図３参照）では、この接合基部２３２から、更に延設されて外方に延びる支持フレーム部２３３を備えることができる。
尚、後述するように、ブラケット部２３は、採光パネル部２２の全周に立設されてもよいが、必要な一部の箇所のみに立設されてもよい。
【００１９】
接合基部２３２は、図２及び図４に例示されるように、前方側の接合基部２３２ａと、後方側の接合基部２３２ｂと、を備えることができる。
このうち、前方側の接合基部２３２ａは、対応する内装天井材１１の非意匠面１１ａに沿った形状に形成されて、接合基部２３２ａと、内装天井材１１の非意匠面１１ａと、で接合できるようになっている。接合基部２３２ａと非意匠面１１ａとの接合方法は限定されず、面ファスナーを用いた接合、ホットメルト等の接着を利用した接合、クリップ、グロメット等の係合を利用した接合等を利用できる。これらは１種のみを用いてもよく２種以上を併用してもよい。
【００２０】
特に、前方側の接合基部２３２ａでは、クリップ、グロメット等の接続用突起２６を用いた接合方法を利用することが好ましい。具体的には、接続用突起２６を、車両ボディ３１のインナーフレーム３３に設けられた貫通孔３４に貫通させて、サンルーフ用パネル２１を車両ボディ３１に対して固定可能であることが好ましい（図２参照）。接続用突起２６を用いて、サンルーフ用パネル２１を固定する場合は、ＸＹＺ軸方向（Ｘ軸：前後方向、Ｙ軸：左右方向、Ｚ軸：上下方向）の全てにおいて、天井内装材１１とサンルーフ用パネル２１と車両ボディ３１とを正確に位置決めすることができる。即ち、車両ボディ３１のインナーフレーム３３に設けられた貫通孔３４を組み付けの基準点Ｐとすることができる。従って、サンルーフ用パネル２１を、従来のガラス製パネル５１のように大きめに作製して、組み付けのばらつきを吸収させる必要がなくなり、ボディ開口部３５に対するサンルーフ用パネル２１の位置ずれを解消できる。
【００２１】
この接続用突起２６は、接合基部２３２ａと別体に設けてもよいし、接合基部２３２ａに直接設けてもよい。別体に設ける場合としては、例えば、接続基部２３２ａ及び天井内装材１１にも、インナーフレーム３３の貫通孔３４と同様に貫通孔を設け、天井内装材１１の貫通孔、接続基部２３２ａの貫通孔、及び、インナーフレーム３３の貫通孔３４の３つの貫通孔を一括して貫通させることができる接続用突起を用いる形態が挙げられる。また、接合基部２３２ａに直接設ける場合としては、サンルーフ用パネル２１自体が、その接合基部２３２ａに接続用突起２６を備える場合が挙げられる。
【００２２】
更に、接続用突起２６は、サンルーフ用パネル２１内において、採光パネル部２２よりも前方に配置されていることが好ましい。即ち、内装天井材１１の内装開口部１２よりも前方に配置されていることが好ましい。乗員は、前方を向いて車両を運転する状況が多いため、乗員は、前方側の内装天井材１１とインナーフレーム３３との間隙を視認し易い。この点、接続用突起２６が内装開口部１２より前方に配置されている場合には、前方側での位置合わせを可能にして、上述の間隙を確実に遮り、見栄えの低下を防止することができる。
接続用突起２６は、何箇所に（何個を）備えてもよいが、例えば、図４及び図５では、２箇所に配置された形態を例示している。接続用突起２６は、必要に応じて、１箇所のみに備えてもよいし、２箇所以上に備えてもよい。
【００２３】
上述した前方側の接合基部２３２ａに対し、後方側の接合基部２３２ｂは、対応する内装天井材１１の非意匠面１１ａに沿った形状に形成されて、後方側の接合基部２３２ｂと、内装天井材１１の非意匠面１１ａと、を接合できるようになっている。具体的には、接合基部２３２ｂの下面（内装天井材１１の非意匠面１１ａ側の面）で、非意匠面１１ａと接合できる。この接合基部２３２ｂの下面と、非意匠面１１ａとの接合方法は限定されず、接合基部２３２ａの場合と同様に、面ファスナー、ホットメルト等の接着、クリップ、グロメット等の係合によって接合できる接続用突起等を利用できる。これらは１種のみを用いてもよく２種以上を併用してもよい。図２では、接合基部２３２ｂの下面と非意匠面１１ａとをホットメルトによって接着した形態を例示している。
【００２４】
更に、接合基部２３２ｂの上面（インナーフレーム３３側の面）は、インナーフレーム３３と接合することができる。このように、接合基部２３２ｂの上面を利用して、天井内装材１１をインナーフレーム３３に接合した場合は、従来に比べて、内装天井材１１への負担を軽減できる。即ち、従来、図６に例示されるように、内装開口部１２の周囲に設置された補強材５３を介して天井内装材１１をインナーフレーム３３に接合していたが、補強材５３は、内装開口部１２を覆うような補強構造を有していない。これに対し、図２に例示されるように、サンルーフ用パネル２１は、内装開口部１２を覆って設置され、それ自体が桁や梁のように機能され、内装開口部１２周辺を上方から懸架するように補強した構造となっている。このため、内装天井材１１への負担を軽減できる。
【００２５】
接合基部２３２ｂの上面とインナーフレーム３３と接合との接合方法も限定されず、接合基部２３２ａの場合と同様に、面ファスナー、ホットメルト等の接着、クリップ、グロメット等の係合によって接合できる接続用突起等を利用できる。これらは１種のみを用いてもよく２種以上を併用してもよい。尚、図２では、接合基部２３２ｂの上面とインナーフレーム３３の下面３３ｂとを、面ファスナー（接合手段２７）を介して接合した形態が例示されている。
【００２６】
更に、上述のように、接合基部２３２から、更に延設されて外方に延びる支持フレーム部２３３（図３乃至図５参照）を備えることができる。この支持フレーム部２３３は、略コ字板状に屈曲形成されて、上面部において、例えば、両面接着テープを使用してインナーフレーム３３に接合され固定できる。内装天井材１１は、このサンルーフ用パネル２１の支持フレーム部２３３による支持によって、内装開口部１２の周縁部１３が重みで垂れ下がるのが防止できる。
【００２７】
これらの接合手段によるブラケット部２３と内装天井材１１の非意匠面１１ａとの接合により、サンルーフ用パネル２１と内装天井材１１とは、各々の採光パネル部２２と内装開口部１２とが対応するように接合されている。また、接続用突起２６が取り付けの基準点Ｐとなって、採光パネル部２２は、その外表面２２ａが車両ボディ３１の天井部に設けられたサンルーフ用の開口であるボディ開口部３５から露出されるように、車両内側から車両ボディ３１のボディ開口部３５に嵌挿されるようになっている。これらのサンルーフ用パネル２１の採光パネル部２２及びブラケット部２３は一体に形成されている。また、このサンルーフ用パネル２１と内装天井材１１とが接合されたものは、天井モジュール１を構成している。
【００２８】
内装天井材１１の内装開口部１２の上部には、内装開口部１２全体を開閉自在に覆う日よけ用のシェード４１を取り付けることができる。シェード４１は、図示しないが、ブラケット部２３を構成する立設部２３１の一部に挿通穴を形成しておくことにより、この立設部２３１の挿通穴を通して車両の後方側に移動できるようになっている。シェード４１は、また、後方側の端部を巻き取ることにより車両の後方側に移動させることもできる。この場合は、立設部２３１に挿通穴を設ける必要はない。
【００２９】
［２］天井モジュール
本発明の天井モジュール１は、本発明のサンルーフ用パネル２１と、サンルーフ用の開口である内装開口部１２を有する内装天井材１１と、を備える。そして、サンルーフ用パネル２１と内装天井材１１とは、各々の採光パネル部２２と内装開口部１２とが対応するように、ブラケット部２３と内装天井材１１の非意匠面１１ａとで接合されている（図５参照）。
【００３０】
上記のうち、天井モジュール１を構成する各部については、先に説明した通りである。この天井モジュール１は、まず、サンルーフ用パネル２１のブラケット部２３の接合基部２３２を、先に説明した通りの各種の接合手段を用いて、内装天井材１１の内装開口部１２の周縁部１３に接合し、サンルーフ用パネル２１と内装天井材１１とを一体化して作成することができる。天井モジュール１は、サンルーフ用パネル２１を備えることで、サンルーフ用パネル２１による有利な作用・効果をそのまま得ることができる。
【００３１】
［３］天井構造
本発明の天井構造３０は、本発明の天井モジュール１を備え、採光パネル部２２の外表面２２ａが、車両ボディ３１の天井部に設けられたサンルーフ用の開口であるボディ開口部３５から露出されるように、採光パネル部２２が車両１０内側から車両ボディ３１に対して嵌挿されている。
【００３２】
上記のうち、天井構造３０を構成する各部については、先に説明した通りである。この天井構造３０は、天井モジュール１を備えることで、天井モジュール１による有利な作用・効果をそのまま得ることができる。特に、接続用突起２６を備える場合は、車両ボディ３１のインナーフレーム３３に設けられた貫通孔３４に接続用突起２６を貫通させて、天井モジュール１を車両ボディ３１に対して固定した天井構造３０とすることができる点において優れている。
【００３３】
本天井構造３０は、例えば、以下のようにして得ることができる。即ち、天井モジュール１を車両ボディ３１との組立ラインに搬送し、サンルーフ用パネル２１のブラケット部２３の接合基部２３２（前方側の接合基部２３２ａ）の接続用突起２６を車両ボディ３１のインナーフレーム３３に設けた位置合わせ用の貫通孔３４に貫通させるとともに、ブラケット部２３の接合基部２３２及び支持フレーム部２３３を両面接着テープ等の接着手段により車両ボディ３１のインナーフレーム３３に接合させる。これにより、天井モジュール１は、採光パネル部２２の外表面２２ａが、車両ボディ３１のボディ開口部３５から露出されるようにボディ開口部３５に嵌挿され、組み立てられる。また、内装天井材１１の内装開口部１２にはシェード４１を取り付ける。以上により、簡単に本天井構造３０を得ることができる。
【００３４】
以下、本実施形態のサンルーフ用パネル２１、天井モジュール１及び天井構造３０の作用を説明する。
サンルーフ用パネル２１は、採光パネル部２２の全周に沿ってブラケット部２３が立設され、全体として箱蓋形状に形成されているので、全体としての強度、剛性は大きく、変形しにくいものとなっている。このため、このように剛性の大きいサンルーフ用パネル２１は、内装天井材１１の非意匠面に接合されたときには、内装天井材１１の内装開口部１２の部分における剛性を補強する補強材としても機能する。したがって、サンルーフ用パネル２１の大型の型を使用することで、補強材として作用する部分も一体に成形することができるから、別途に補強材用の型を用意して成形する必要がないため、製造コストを低減できる。加えて、補強材を別途に取り付ける手間が省け、作業時間が短縮される。
【００３５】
また、サンルーフ用パネル２１を透光性樹脂によって形成しているので、従来使用していたガラス製パネルと比較して重量を軽減でき、燃費性能を向上させることができる。
【００３６】
更に、サンルーフの組み立てにおいては、内装天井材１１にサンルーフ用パネル２１を接合してなる天井モジュール１をボディ組立ラインで単にボディ開口部３５に嵌挿するだけでサンルーフを形成することができるから、組み立て工程における作業効率が向上する。
【００３７】
加えて、サンルーフ用パネル２１のブラケット部２３にクリップ等からなる接続用突起２６が設けられ、この接続用突起２６はサンルーフ用パネル２１及び内装天井材１１を車両ボディ３１に固定するときの基準点Ｐとなるので、接続用突起２６をインナーフレーム３３の貫通孔３４に貫通させながら、サンルーフ用パネル２１を車両ボディ３１のボディ開口部３５に向けてあてがい挿入するだけで、サンルーフ用パネル２１を車両ボディ３１に対して高さ方向のみならず前後左右方向を含めた全方位の一定位置に正確に合わせてボディ開口部３５内に嵌挿させて車両ボディ３１に固定することができ、採光パネル部２２をボディ開口部３５に的確に配置させることができる。
【００３８】
また、ブラケット部２３の接続用突起２６は、サンルーフ用パネル２１内において、採光パネル部２２よりも前方であってその近傍に配置されているので、乗員から視認され易く見栄えの点で重視される車両の前方において、前述のように、ボディ開口部３５に対して内装天井材１１の内装開口部１２を正確に位置合わせすることができる。これにより、サンルーフ用パネル２１を、従来のガラス製パネル５１のように大きめに作製して、組み付けのばらつきを吸収させる機能を持たせる必要もなくなり、ボディ開口部３５に対するサンルーフ用パネル２１の位置ずれが生じることを解消して、内装天井材１１とインナーフレーム３３との間隙が乗員から見えて見栄えが低下するのを防止できる。
特に、接続用突起２６が、サンルーフ用パネル２１内において、内装天井材１１の内装開口部１２よりも前方に配置されている場合には、より確実に上述の問題を解消できる。即ち、通常、乗員は、前方を向いて車両を運転する状況が多いため、乗員は、前方側の内装天井材１１とインナーフレーム３３との間隙を視認し易くなる。従って、前方側で位置合わせを行うことによって見栄えの低下を更に確実に防止できる。
【００３９】
ところで、上記実施形態のサンルーフ用パネル２１は、採光パネル部２２の全周に沿って立設部２３１が立設されて全体として箱蓋形状に形成されているが、本発明を実施する場合には、この形状、形態に限定されるものではない。即ち、例えば、サンルーフ用パネル２１は、採光パネル部２２と、その周囲の一部のみに立設して設けられた立設部２３１と、を備えることもできる。また、例えば、立設部２３１には、必要に応じて窓開口などの空間を設けることもできる。
【００４０】
更に、上記実施形態のブラケット部２３に設けられた接続用突起２６は、クリップやグロメットで形成されているが、これに限られるものではなく、他の部材で形成してもよい。例えば、接続用突起２６を係合突起で形成し、インナーフレーム３３には被係合部を設け、係合突起とインナーフレーム３３の被係合部とを係合させ、この係合部分を車両ボディ３１に対する天井モジュール１の位置合わせ用の基準点Ｐに設定することもできる。
また、接続用突起２６は、サンルーフ用パネル２１において、内装天井材１１の内装開口部１２よりも前方の２箇所に配置されているが、この位置は個数に限定されるものでもない。
【００４１】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲又は精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【産業上の利用可能性】
【００４２】
サンルーフを有する車両の天井部において、サンルーフ開口が設けられた内装天井材１１を補強するためのコストを低減するとともに、サンルーフの重量を軽減する技術として広く利用される。
【符号の説明】
【００４３】
１；天井モジュール、
１０；車両、
１１；内装天井材、１１ａ；非意匠面（内装天井材の裏面）、１１ｂ；意匠面、
１２；内装開口部、
１３；周縁部、
１５；せり上がり部、
２０；サンルーフ、
２１；サンルーフ用パネル、
２２；採光パネル部、
２２ａ；外表面、
２３；ブラケット部、
２３１；立設部、
２３２；接合基部、２３２ａ；前方側の接合基部、２３２ｂ；後方側の接合基部、
２３３；支持フレーム部、
２６；接続用突起（クリップ）、
２７；接合手段、
３０；天井構造、
３１；車両ボディ、
３２；アウターボディ、３３；インナーフレーム（インナーボディ）、
３４；貫通孔、
３５；ボディ開口部、
４１；シェード、
４２ａ；フロントウィンドウ、４２ｂ；リアウィンドウ、
５１；ガラス製パネル、５３；補強材、
Ｐ；基準点、
ＤＦ：進行方向。
【図１】
0006589651.tif 000002
【図２】
0006589651.tif 000003
【図３】
0006589651.tif 000004
【図４】
0006589651.tif 000005
【図５】
0006589651.tif 000006
【図６】
0006589651.tif 000007
【図７】
0006589651.tif 000008